(57)【要約】【課題】簡易な方法で廃棄物の排出から廃棄処理までのプロセス及び廃棄物の量を廃棄物ごとに個別に管理できること。【解決手段】各固有の回収ＩＤが記憶されたＩＣパスを廃棄物の回収者Ｐ４に所有させ，廃棄物の排出者Ｐ２，計量場Ｐ３及び廃棄場Ｐ３は，ＩＣパスのデータの読み書きという簡易な作業を行うだけで，廃棄物の排出から廃棄場への搬入までの廃棄処理の個々のプロセスが回収ＩＤごとに管理サーバによって一括管理される。さらに，廃棄物の排出側の計量場Ｐ３と、廃棄処理を行う廃棄場Ｐ３との両方で、廃棄物の重量及び／若しくは体積に関するデータを計測し，これを管理サーバに送って両データの一致を確認した場合にのみ廃棄処理を認める信号を廃棄場に送ることで、搬送途中での廃棄物の不法投棄等を防止する。また，ＧＰＳ等で検出した位置情報も計量場Ｐ３と廃棄場Ｐ３から管理サーバに送り，廃棄物の排出・廃棄場所を管理する。【選択図】図１
2004086821.tif 000002
【特許請求の範囲】
【請求項１】
廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理方法において，
前記廃棄物の回収時若しくはその前後いずれかに，前記廃棄物排出者により排出される前記廃棄物それぞれについて，該廃棄物の排出に関する廃棄物排出データを，それぞれ固有の回収ＩＤが記憶され前記回収者が所有する所定の可搬データ記憶手段それぞれに記憶させる排出データ記録工程と，
所定の計量場において，回収された前記廃棄物の入った容器の重量，容量若しくは該廃棄物自体の重量，容量，若しくは個数のいずれか１以上の要素である計量データを計測する搬出側計量工程と，
前記計量場において，前記可搬データ記憶手段から前記回収ＩＤ及び前記排出データ記録工程で記憶させたデータを読み取る第１の計量場データ読取り工程と，
前記第１の計量場データ読取り工程で読み取ったデータと前記搬出側計量工程で計測された前記計量データとを前記管理装置に送信する第１の計量場データ送信工程と，
前記管理装置において，前記第１の計量場データ送信工程で送信されたデータを受信して所定の記憶手段に記憶させる第１の計量場データ登録工程と，
前記廃棄場において，搬入される前記廃棄物の前記計量データを再度計測する搬入側計量工程と，
前記廃棄場において，前記可搬データ記憶手段から前記回収ＩＤを読み取る廃棄場データ読取り工程と，
前記廃棄場データ読取り工程で読み取られたデータと前記搬入側計量工程で計測された前記計量データとを前記管理装置に送信する廃棄場データ送信工程と，前記管理装置において，前記廃棄場データ送信工程で送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理工程と，
を有してなることを特徴とする廃棄物の廃棄処理管理方法。
【請求項２】
廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理方法において，
前記廃棄物の回収時若しくはその前後いずれかに，前記廃棄物排出者により排出される前記廃棄物それぞれについて，該廃棄物の排出に関する廃棄物排出データと該廃棄物を回収する前記回収者が所有する所定の可搬データ記憶手段に記憶され該可搬データ記憶手段に固有の回収ＩＤとを前記管理装置に送信する排出データ送信工程と，
前記管理装置において，前記排出データ送信工程で送信されたデータを所定の記憶手段に記憶させる排出データ登録工程と，
所定の計量場において，回収された前記廃棄物の入った容器の重量，容量若しくは該廃棄物自体の重量，容量，若しくは個数のいずれか１以上の要素である計量データを計測する搬出側計量工程と，
前記計量場において，前記可搬データ記憶手段から前記回収ＩＤを読み取る第２の計量場データ読取り工程と，
前記第２の計量場データ読取り工程で読み取ったデータと前記搬出側計量工程で計測された前記計量データとを前記管理装置に送信する第２の計量場データ送信工程と，
前記管理装置において，前記第２の計量場データ送信工程で送信されたデータを受信し，受信した前記回収ＩＤに基づいて，受信した前記計量データを前記記憶手段に既存のデータに対応づけて記憶させる第２の計量場データ登録工程と，前記廃棄場において，搬入される前記廃棄物の前記計量データを再度計測する搬入側計量工程と，
前記廃棄場において，前記可搬データ記憶手段から前記回収ＩＤを読み取る廃棄場データ読取り工程と，
前記廃棄場データ読取り工程で読み取られたデータと前記搬入側計量工程で計測された前記計量データとを前記管理装置に送信する廃棄場データ送信工程と，前記管理装置において，前記廃棄場データ送信工程で送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理工程と，
を有してなることを特徴とする廃棄物の廃棄処理管理方法。
【請求項３】
前記第１又は第２の計量場データ送信工程において，前記計量場に又は前記可搬データ記憶手段に設けられ自身の現在位置を検出する位置検出手段により検出される位置情報を取得して該位置情報も前記管理装置に送信してなる請求項１又は２のいずれかに記載の廃棄物の廃棄処理管理方法。
【請求項４】
前記排出データ記録工程において，該排出データ記録工程が実行される場所に又は前記可搬データ記憶手段に設けられ自身の現在位置を検出する位置検出手段により検出される位置情報を取得して該位置情報も前記可搬データ記憶手段に記憶させてなる請求項１に記載の廃棄物の廃棄処理管理方法。
【請求項５】
前記排出データ送信工程において，該排出データ送信工程が実行される場所に又は前記可搬データ記憶手段に設けられ自身の現在位置を検出する位置検出手段により検出される位置情報を取得して該位置情報も前記管理装置に送信してなる請求項２に記載の廃棄物の廃棄処理管理方法。
【請求項６】
前記廃棄場データ送信工程において，前記廃棄場に又は前記可搬データ記憶手段に設けられ自身の現在位置を検出する位置検出手段により検出される位置情報を取得し該位置情報も前記管理装置に送信してなる請求項１〜５のいずれかに記載の廃棄物の廃棄処理管理方法。
【請求項７】
前記管理装置において，前記第１又は第２の計量場データ登録工程でデータが登録されるごとに，該データを特定する情報である廃棄物ＩＤを発行して前記記憶手段に記憶させる廃棄物ＩＤ発行登録工程を有してなる請求項１〜６のいずれかに記載の廃棄物の廃棄処理管理方法。
【請求項８】
前記廃棄物ＩＤ発行登録工程で発行された前記廃棄物ＩＤを前記計量場へ送信して前記可搬記憶手段に記憶させる廃棄物ＩＤ記録工程を有してなる請求項７に記載の廃棄物の廃棄処理管理方法。
【請求項９】
前記廃棄場データ送信工程において，前記可搬記憶手段内の前記廃棄物ＩＤも前記管理装置へ送信するデータに加えられ，
前記許可処理工程において，前記廃棄場データ送信工程で送信された前記廃棄物ＩＤと，これに対応する前記記憶手段に記憶された前記廃棄物ＩＤとが一致することについても，廃棄処理することを許可する判定条件とするものである請求項８に記載の廃棄物の廃棄処理管理方法。
【請求項１０】
前記管理装置において，前記廃棄場データ送信工程で送信されたデータに対応する前記記憶手段内の前記廃棄物排出データの一部又は全部を前記廃棄場に送信する廃棄物排出データ提供工程を有してなる請求項１〜９のいずれかに記載の廃棄物の廃棄処理管理方法。
【請求項１１】
前記管理装置において，前記第１又は第２の計量場データ登録工程で前記記憶手段に記憶されたデータそれぞれについて，前記許可処理工程での前記許可指令の送信がなされたか否かについての搬入実績情報を前記記憶手段に記憶させる搬入実績登録工程を有してなる請求項１〜１０のいずれかに記載の廃棄物の廃棄処理管理方法。
【請求項１２】
前記管理装置において，前記第１又は第２の計量場データ送信工程或いは前記排出データ送信工程で前記管理装置に送信されたデータの一部又は全部を，該データに対応する前記廃棄物が前記廃棄場に搬入される前に前記廃棄場に送信する事前データ送信工程を有してなる請求項１〜１１のいずれかに記載の廃棄物の廃棄処理管理方法。
【請求項１３】
廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理システムにおいて，
前記廃棄物の回収時若しくはその前後いずれかに，前記廃棄物排出者により排出される前記廃棄物それぞれについて，該廃棄物の排出に関する廃棄物排出データを，それぞれ固有の回収ＩＤが記憶され前記回収者が所有する所定の可搬データ記憶手段それぞれに記憶させる排出データ記録手段と，
所定の計量場において，回収された前記廃棄物の入った容器の重量，容量若しくは該廃棄物自体の重量，容量，若しくは個数のいずれか１以上の要素である計量データを入力する搬出側計量データ入力手段と，
前記計量場において，前記可搬データ記憶手段から前記回収ＩＤ及び前記排出データ記録手段により記憶させたデータを読み取る第１の計量場データ読取り手段と，
前記第１の計量場データ読取り手段により読み取ったデータと前記搬出側計量データ入力手段により入力された前記計量データとを前記管理装置に送信する第１の計量場データ送信手段と，
前記管理装置において，前記第１の計量場データ送信手段により送信されたデータを受信して所定の記憶手段に記憶させる第１の計量場データ登録手段と，
前記廃棄場において，搬入される前記廃棄物について再度計測された前記計量データを入力する搬入側計量データ入力手段と，
前記廃棄場において，前記可搬データ記憶手段から前記回収ＩＤを読み取る廃棄場データ読取り手段と，
前記廃棄場データ読取り手段により読み取られたデータと前記搬入側計量データ入力手段により入力された前記計量データとを前記管理装置に送信する廃棄場データ送信手段と，
前記管理装置において，前記廃棄場データ送信手段により送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，
を具備してなることを特徴とする廃棄物の廃棄処理管理システム。
【請求項１４】
廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理システムにおいて，
前記廃棄物の回収時若しくはその前後いずれかに，前記廃棄物排出者により排出される前記廃棄物それぞれについて，該廃棄物の排出に関する廃棄物排出データと該廃棄物を回収する前記回収者が所有する所定の可搬データ記憶手段に記憶され該可搬データ記憶手段に固有の回収ＩＤとを前記管理装置に送信する排出データ送信手段と，
前記管理装置において，前記排出データ送信手段により送信されたデータを所定の記憶手段に記憶させる排出データ登録手段と，
所定の計量場において，回収された前記廃棄物の入った容器の重量，容量若しくは該廃棄物自体の重量，容量，若しくは個数のいずれか１以上の要素である計量データを入力する搬出側計量データ入力手段と，
前記計量場において，前記可搬データ記憶手段から前記回収ＩＤを読み取る第２の計量場データ読取り手段と，
前記第２の計量場データ読取り手段により読み取ったデータと前記搬出側計量データ入力手段により取得された前記計量データとを前記管理装置に送信する第２の計量場データ送信手段と，
前記管理装置において，前記第２の計量場データ送信手段により送信されたデータを受信し，受信した前記回収ＩＤに基づいて，受信した前記計量データを前記記憶手段に既存のデータに対応づけて記憶させる第２の計量場データ登録手段と，
前記廃棄場において，搬入される前記廃棄物について再度計測された前記計量データを入力する搬入側計量データ入力手段と，
前記廃棄場において，前記可搬データ記憶手段から前記回収ＩＤを読み取る廃棄場データ読取り手段と，
前記廃棄場データ読取り手段により読み取られたデータと前記搬入側計量データ取得手段により取得された前記計量データとを前記管理装置に送信する廃棄場データ送信手段と，
前記管理装置において，前記廃棄場データ送信手段により送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，
を具備してなることを特徴とする廃棄物の廃棄処理管理システム。
【請求項１５】
前記計量場に又は前記可搬データ記憶手段に設けられ自身の現在位置を検出する第１の位置検出手段を具備し，
前記第１又は第２の計量場データ送信手段により，前記第１の位置検出手段により検出される位置情報も前記管理装置に送信してなる請求項１３又は１４のいずれかに記載の廃棄物の廃棄処理管理システム。
【請求項１６】
前記排出データ記録手段のある場所に又は前記可搬データ記憶手段に設けられ自身の現在位置を検出する第１の位置検出手段を具備し，
前記排出データ記録手段により，前記第１の位置検出手段により検出される位置情報も前記可搬データ記憶手段に記憶させてなる請求項１３に記載の廃棄物の廃棄処理管理システム。
【請求項１７】
前記排出データ送信手段のある場所に設けられ自身の現在位置を検出する第１の位置検出手段を具備し，
前記排出データ送信手段により，前記第１の位置検出手段により検出される位置情報も前記管理装置に送信してなる請求項１４に記載の廃棄物の廃棄処理管理システム。
【請求項１８】
前記第１の位置検出手段が，前記計量場における前記第１若しくは第２の計量場データ読取り手段，又は前記排出データ記録手段と一体に構成されてなる請求項１５又は１６のいずれかに記載の廃棄物の廃棄処理管理システム。
【請求項１９】
前記廃棄場に設けられ自身の現在位置を検出する第２の位置検出手段を具備し，
前記廃棄場データ送信手段により，前記第２の位置検出手段により検出される位置情報も前記管理装置に送信してなる請求項１３〜１８のいずれかに記載の廃棄物の廃棄処理管理システム。
【請求項２０】
前記廃棄場データ送信手段により，前記可搬データ記憶手段に設けられた前記第１の位置検出手段により検出される位置情報も前記管理装置に送信してなる請求項１３〜１８のいずれかに記載の廃棄物の廃棄処理管理システム。
【請求項２１】
廃棄物排出者により排出された廃棄物を，回収者により回収及び所定の廃棄場に搬入して廃棄処理を行うに際して，前記廃棄物の処理に関する管理を行う廃棄物の廃棄処理管理装置において，
前記廃棄物排出者により排出される前記廃棄物それぞれの排出に関する廃棄物排出データ，前記回収者が所有する所定の可搬データ記憶手段それぞれに固有の回収ＩＤ，及び回収された前記廃棄物の入った容器の重量，容量若しくは該廃棄物自体の重量，容量，若しくは個数のいずれか１以上の要素である計量データを所定の計量場から受信して所定の記憶手段に記憶させる第１の計量場データ登録手段と，
前記廃棄場に搬入される前記廃棄物について再度計測された前記計量データ及び前記回収ＩＤを前記廃棄場から受信し，該受信したデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，
を具備してなることを特徴とする廃棄物の廃棄処理管理装置。
【請求項２２】
廃棄物排出者により排出された廃棄物を，回収者により回収及び所定の廃棄場に搬入して廃棄処理を行うに際して，前記廃棄物の処理に関する管理を行う廃棄物の廃棄処理管理装置において，
前記廃棄物排出者により排出される前記廃棄物それぞれの排出に関する廃棄物排出データ及び前記回収者が所有する所定の可搬データ記憶手段それぞれに固有の回収ＩＤを受信して所定の記憶手段に記憶させる排出データ登録手段と，
回収された前記廃棄物の入った容器の重量，容量若しくは該廃棄物自体の重量，容量，若しくは個数のいずれか１以上の要素である計量データ及び前記回収ＩＤを所定の計量場から受信し，受信した前記回収ＩＤに基づいて，受信した前記計量データを前記記憶手段に既存のデータに対応づけて記憶させる第２の計量場データ登録手段と，
前記廃棄場に搬入される前記廃棄物について再度計測された前記計量データ及び前記回収ＩＤを前記廃棄場から受信し，該受信したデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，
を具備してなることを特徴とする廃棄物の廃棄処理管理装置。
【発明の詳細な説明】
【０００１】
【発明の属する技術分野】
本発明は，廃棄物の廃棄処理管理方法に関し，特に，廃棄物の不法投棄や，廃棄場への不法持ち込みを防ぎ，正しく廃棄されていることの監視を目的とする廃棄物の廃棄処理管理方法，その廃棄処理管理システム，及びその廃棄処理管理装置に関するものである。
【０００２】
【従来の技術】
例えば建設現場や製造工場，病院，医療機関から排出される産業廃棄物等の廃棄物は，産業廃棄物処理場等の所定の廃棄場で適切に廃棄処理されることが，環境の悪化を防ぐための必須条件である。ところが正規の廃棄場まで運搬するのは搬送費用がかかり，廃棄場で引き取ってもらうのにも費用がかかるので，排出された場所から所定の廃棄場に運搬する途中で，或いは山中などに運搬して不法投棄する例が後を絶たない。これは，排出された廃棄物の管理が不十分なためである。
こうした従来の廃棄物の回収及び廃棄における廃棄物管理は，一般に，運搬事業者等の所定の回収者により廃棄物の回収，運搬が行われる際に封入容器の受渡し個数をチェックすることにより行なわれている。特許文献１に示される廃棄物処理方法はその一例である。すなわち，廃棄物の収集（回収）場所（例えば病院）ごとに記載した例えば専用伝票により，収集場所からの搬出時と廃棄場（廃棄処理施設）への搬入時とのそれぞれにおいて封入容器の個数をグループ単位（すなわち収集場所単位）で照合する手法が知られている。
【０００３】
しかしながら，特許文献１に示される技術のように伝票によるグループ単位の個数管理では，個々の封入容器の中身の流出や散逸までは把握できないため，例えば，搬送の途中で故意又は過失により，廃棄処理すべき廃棄物を封入した容器が他の一般的な廃棄物等を収容した別の容器と入れ替わったとしても，照合時にこれを発見することが困難であるという問題があった。また，個数だけ確認しても，容器の内容物の一部を不法に投棄すればその確認は不可能であるという問題もあった。
このような問題点解決のため，先に特許出願済みの特許文献２には，廃棄物を排出する場所と、廃棄処理を行う場所の両方で、廃棄物の内容を示すデータと、廃棄物の重量及び／若しくは体積に関するデータを入手し、それを管理サーバに送って両データの一致を確認した場合にのみ廃棄処理を認める信号を廃棄施設に送ることで、搬送途中での廃棄物の散逸を防止する廃棄物処理方法が示されている。
【０００４】
一方，「廃棄物処理法」では，産業廃棄物の排出者（排出事業者）が産業廃棄物の処理を委託する場合には，「産業廃棄物管理票（マニフェスト）」により最終処分完了の確認まで管理することが義務付けられている。
現在，このマニフェストの作成・管理は，廃棄物の排出者それぞれが手作業或いは所定のパッケージソフトウェアを用いて紙マニフェスト（伝票）を作成して管理している。また，前記マニフェストを電子データ（電子マニフェスト）として管理することが唯一認められている組織が運営するコンピュータシステムであるＪＷＮＥＴに，廃棄物の排出や運搬（回収）に関する情報を送信し，電子マニフェストとして管理することも可能である。
【０００５】
【特許文献１】
特公平７−４７４０１号公報
【特許文献２】
特願２０００−１９９０５２号
【０００６】
【発明が解決しようとする課題】
しかしながら，特許文献１及び２に示される方法では，いずれの回収者（運搬者）がいずれの廃棄物を回収，運搬したか等，廃棄物のマニフェスト管理に必要となる廃棄物ごとのその排出から廃棄処理までのプロセス管理がなされない。このため，廃棄物の排出者自身が廃棄物の回収者や廃棄場と連携をとりながら，自ら排出した廃棄物が適正に運搬及び処理されたか否かを前記パッケージソフトウェア等を用いて大量の紙マニフェストを作成し，これを長期間管理する必要があり，多大な時間と労力を要するという問題点があった。
また，前記ＪＷＮＥＴを用いて電子マニフェスト管理を行うためには，排出者，回収者（運搬者），及び廃棄場（中間処理事業者や最終処分事業者等）それぞれが前記ＪＷＮＥＴとの接続（通信）環境を用意し，廃棄物ごとに前記ＪＷＮＥＴに廃棄物の処理（流れ）に関する情報を送信する必要があり，このような環境整備が十分でない（環境整備投資を十分にできない）回収者（運搬者）等が加わる場合には，電子マニフェスト管理が難しいという問題点もあった。
さらに，廃棄物の排出場所には建設現場等も含まれるので，その排出場所が不定期に変わり得るため，各廃棄物がいずれの場所から排出されたものであるかを正確に把握し管理することが煩雑である。また，廃棄物の排出場所や廃棄場所を偽って入力（記録）する等の不正行為を防止する必要もある。しかし，特許文献１及び２に示される技術では，廃棄物の排出場所や廃棄場所の管理を容易化する，或いは排出場所や廃棄場所を偽る不正を防止する方法については示されていない。
従って，本発明は上記事情に鑑みてなされたものであり，その目的とするところは，簡易な方法で廃棄物の排出から廃棄処理までのプロセス及び廃棄物の量，排出場所や廃棄場所等を廃棄物ごとに容易に管理できる廃棄物の廃棄処理管理方法，その廃棄処理管理システム，及びその廃棄処理管理装置を提供することにある。
【０００７】
【課題を解決するための手段】
上記目的を達成するために本発明は，廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理方法において，前記廃棄物の回収時若しくはその前後いずれかに，前記廃棄物排出者により排出される前記廃棄物それぞれについて，該廃棄物の排出に関する廃棄物排出データを，それぞれ固有の回収ＩＤが記憶され前記回収者が所有する所定の可搬データ記憶手段それぞれに記憶させる排出データ記録工程と，所定の計量場において，回収された前記廃棄物の入った容器の重量，容量若しくは該廃棄物自体の重量，容量，若しくは個数のいずれか１以上の要素である計量データを計測する搬出側計量工程と，前記計量場において，前記可搬データ記憶手段から前記回収ＩＤ及び前記排出データ記録工程で記憶させたデータを読み取る第１の計量場データ読取り工程と，前記第１の計量場データ読取り工程で読み取ったデータと前記搬出側計量工程で計測された前記計量データとを前記管理装置に送信する第１の計量場データ送信工程と，前記管理装置において，前記第１の計量場データ送信工程で送信されたデータを受信して所定の記憶手段に記憶させる第１の計量場データ登録工程と，前記廃棄場において，搬入される前記廃棄物の前記計量データを再度計測する搬入側計量工程と，前記廃棄場において，前記可搬データ記憶手段から前記回収ＩＤを読み取る廃棄場データ読取り工程と，前記廃棄場データ読取り工程で読み取られたデータと前記搬入側計量工程で計測された前記計量データとを前記管理装置に送信する廃棄場データ送信工程と，前記管理装置において，前記廃棄場データ送信工程で送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理工程と，を有してなることを特徴とする廃棄物の廃棄処理管理方法である。
これにより，廃棄物の廃棄場（搬入側）において，計量場（搬出側）で計測された廃棄物の重量，容量若しくは廃棄物自体の個数や廃棄物の内容の同一性が確認された上で廃棄処理されるので，搬送途中で他の廃棄物を混入させたり，廃棄物の一部を不法投棄して量を減らしたり，廃棄物のすり替え等の不正を防止できる。
また，それぞれ固有の回収ＩＤが記憶されたＩＣタグ等の可搬データ記憶手段を廃棄物の回収者に所有させることにより，任意の場所で前記可搬データ記憶手段から前記回収ＩＤを読み取り，これを前記管理サーバに送信して問い合わせれば，廃棄物の搬送途中での不正廃棄等の監視を行うことも可能となる。
さらに，廃棄物の排出者，計量場及び廃棄場は，前記可搬データ記憶手段のデータの読み書きという簡易な作業を行うだけで，廃棄物の排出から廃棄場への搬入までの廃棄処理の個々のプロセスが前記回収ＩＤごとに管理サーバによって一括管理されるので，煩わしい廃棄物ごとの搬入・搬出の実績管理をそれぞれが行う必要がなくなる。従って，廃棄物の排出者は，計量場や廃棄場と連携して紙マニフェストを作成及び保存する膨大な手間と時間を省略でき，電子マニフェスト管理も容易となる。
【０００８】
また，前記廃棄物排出データを前記管理サーバに送信する方法を別の方法に置き換えたものも考えられる。即ち，廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理方法において，前記廃棄物の回収時若しくはその前後いずれかに，前記廃棄物排出者により排出される前記廃棄物それぞれについて，該廃棄物の排出に関する廃棄物排出データと該廃棄物を回収する前記回収者が所有する所定の可搬データ記憶手段に記憶され該可搬データ記憶手段に固有の回収ＩＤとを前記管理装置に送信する排出データ送信工程と，前記管理装置において，前記排出データ送信工程で送信されたデータを所定の記憶手段に記憶させる排出データ登録工程と，所定の計量場において，回収された前記廃棄物の入った容器の重量，容量若しくは該廃棄物自体の重量，容量，若しくは個数のいずれか１以上の要素である計量データを計測する搬出側計量工程と，前記計量場において，前記可搬データ記憶手段から前記回収ＩＤを読み取る第２の計量場データ読取り工程と，前記第２の計量場データ読取り工程で読み取ったデータと前記搬出側計量工程で計測された前記計量データとを前記管理装置に送信する第２の計量場データ送信工程と，前記管理装置において，前記第２の計量場データ送信工程で送信されたデータを受信し，受信した前記回収ＩＤに基づいて，受信した前記計量データを前記記憶手段に既存のデータに対応づけて記憶させる第２の計量場データ登録工程と，前記廃棄場において，搬入される前記廃棄物の前記計量データを再度計測する搬入側計量工程と，前記廃棄場において，前記可搬データ記憶手段から前記回収ＩＤを読み取る廃棄場データ読取り工程と，前記廃棄場データ読取り工程で読み取られたデータと前記搬入側計量工程で計測された前記計量データとを前記管理装置に送信する廃棄場データ送信工程と，前記管理装置において，前記廃棄場データ送信工程で送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理工程と，を有してなることを特徴とする廃棄物の廃棄処理管理方法である。
これにより，前記廃棄物排出データが前記可搬データ記憶手段に記憶されないので，前記可搬データ記憶手段の必要記憶容量を抑えることができる。
【０００９】
また，前記第１又は第２の計量場データ送信工程において，前記計量場に又は前記可搬データ記憶手段に設けられ自身の現在位置を検出するＧＰＳ等の位置検出手段により検出される位置情報を取得して該位置情報も前記管理装置に送信することや，前記排出データ記録工程において，該排出データ記録工程が実行される場所に又は前記可搬データ記憶手段に設けられ自身の現在位置を検出するＧＰＳ等の位置検出手段により検出される位置情報を取得して該位置情報も前記可搬データ記憶手段に記憶させることもが考えられる。
同様に，前記排出データ送信工程において，該排出データ送信工程が実行される場所に又は前記可搬データ記憶手段に設けられ自身の現在位置を検出する位置検出手段により検出される位置情報を取得して該位置情報も前記管理装置に送信することも考えられる。
各廃棄物がいずれの場所から排出されたものであるかを正確に把握し管理することが容易になるとともに，排出場所を偽る不正を防止することが可能となる。
【００１０】
また，前記廃棄場データ送信工程において，前記廃棄場に又は前記可搬データ記憶手段に設けられ自身の現在位置を検出する位置検出手段により検出される位置情報を取得し該位置情報も前記管理装置に送信することも考えられる。
これにより，各廃棄物がいずれの場所へ廃棄処理されたかを正確に把握し管理することが容易になるとともに，廃棄場所を偽る不正を防止することが可能となる。
【００１１】
また，前記管理装置において，前記第１又は第２の計量場データ登録工程でデータが登録されるごとに，該データを特定する情報である廃棄物ＩＤを発行して前記記憶手段に記憶させる廃棄物ＩＤ発行登録工程を有する方法も考えられる。さらに，前記廃棄物ＩＤ発行登録工程で発行された前記廃棄物ＩＤを前記計量場へ送信して前記可搬記憶手段に記憶させる廃棄物ＩＤ記録工程を有してもよく，さらに，前記廃棄場データ送信工程において，前記可搬記憶手段内の前記廃棄物ＩＤも前記管理装置へ送信するデータに加えられ，前記許可処理工程において，前記廃棄場データ送信工程で送信された前記廃棄物ＩＤと，これに対応する前記記憶手段に記憶された前記廃棄物ＩＤとが一致することについても，廃棄処理することを許可する判定条件とすることも考えられる。
これにより，前記可搬データ記憶手段を所有する前記回収者ごとに複数の廃棄物が回収される場合でも，廃棄物それぞれを個別管理可能となる。
【００１２】
また，前記管理装置において，前記廃棄場データ送信工程で送信されたデータに対応する前記記憶手段内の前記廃棄物排出データの一部又は全部を前記廃棄場に送信する廃棄物排出データ提供工程を有することも考えられる。
これにより，前記計量データの一致のみでなく，例えば廃棄物の種類等についても前記廃棄場で確認できるので，廃棄物のすり替え等の不正を防止できる。
【００１３】
また，前記管理装置において，前記第１又は第２の計量場データ登録工程で前記記憶手段に記憶されたデータそれぞれについて，前記許可処理工程での前記許可指令の送信がなされたか否かについての搬入実績情報を前記記憶手段に記憶させる搬入実績登録工程を有することも考えられる。
これにより，各廃棄物が処分されたことの実績を管理できるので，前記搬入実績情報に基づいて廃棄物のマニフェスト管理を行うことが可能となる。
【００１４】
また，前記管理装置において，前記第１又は第２の計量場データ送信工程或いは前記排出データ送信工程で前記管理装置に送信されたデータの一部又は全部を，該データに対応する前記廃棄物が前記廃棄場に搬入される前に前記廃棄場に送信する事前データ送信工程を有してもよい。
これにより，前記廃棄場は事前に正確な廃棄物の搬入計画を立てられるので，適切な対処が可能となる。
【００１５】
また，本発明は，前記廃棄物の廃棄処理管理方法を具現する廃棄物の廃棄処理管理システムとして捉えたものであってもよい。
即ち，廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理システムにおいて，前記廃棄物の回収時若しくはその前後いずれかに，前記廃棄物排出者により排出される前記廃棄物それぞれについて，該廃棄物の排出に関する廃棄物排出データを，それぞれ固有の回収ＩＤが記憶され前記回収者が所有する所定の可搬データ記憶手段それぞれに記憶させる排出データ記録手段と，所定の計量場において，回収された前記廃棄物の入った容器の重量，容量若しくは該廃棄物自体の重量，容量，若しくは個数のいずれか１以上の要素である計量データを入力する搬出側計量データ入力手段と，前記計量場において，前記可搬データ記憶手段から前記回収ＩＤ及び前記排出データ記録手段により記憶させたデータを読み取る第１の計量場データ読取り手段と，前記第１の計量場データ読取り手段により読み取ったデータと前記搬出側計量データ入力手段により入力された前記計量データとを前記管理装置に送信する第１の計量場データ送信手段と，前記管理装置において，前記第１の計量場データ送信手段により送信されたデータを受信して所定の記憶手段に記憶させる第１の計量場データ登録手段と，前記廃棄場において，搬入される前記廃棄物について再度計測された前記計量データを入力する搬入側計量データ入力手段と，前記廃棄場において，前記可搬データ記憶手段から前記回収ＩＤを読み取る廃棄場データ読取り手段と，前記廃棄場データ読取り手段により読み取られたデータと前記搬入側計量データ入力手段により入力された前記計量データとを前記管理装置に送信する廃棄場データ送信手段と，前記管理装置において，前記廃棄場データ送信手段により送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，を具備してなることを特徴とする廃棄物の廃棄処理管理システムである。
【００１６】
或いは，廃棄物排出者により排出された廃棄物を，回収者により回収及び所定の廃棄場に搬入して廃棄処理を行うに際して，所定の管理装置により前記廃棄物の処理に関する管理を行う廃棄物の廃棄処理管理システムにおいて，前記廃棄物の回収時若しくはその前後いずれかに，前記廃棄物排出者により排出される前記廃棄物それぞれについて，該廃棄物の排出に関する廃棄物排出データと該廃棄物を回収する前記回収者が所有する所定の可搬データ記憶手段に記憶され該可搬データ記憶手段に固有の回収ＩＤとを前記管理装置に送信する排出データ送信手段と，前記管理装置において，前記排出データ送信手段により送信されたデータを所定の記憶手段に記憶させる排出データ登録手段と，
所定の計量場において，回収された前記廃棄物の入った容器の重量，容量若しくは該廃棄物自体の重量，容量，若しくは個数のいずれか１以上の要素である計量データを入力する搬出側計量データ入力手段と，前記計量場において，前記可搬データ記憶手段から前記回収ＩＤを読み取る第２の計量場データ読取り手段と，前記第２の計量場データ読取り手段により読み取ったデータと前記搬出側計量データ入力手段により取得された前記計量データとを前記管理装置に送信する第２の計量場データ送信手段と，前記管理装置において，前記第２の計量場データ送信手段により送信されたデータを受信し，受信した前記回収ＩＤに基づいて，受信した前記計量データを前記記憶手段に既存のデータに対応づけて記憶させる第２の計量場データ登録手段と，前記廃棄場において，搬入される前記廃棄物について再度計測された前記計量データを入力する搬入側計量データ入力手段と，前記廃棄場において，前記可搬データ記憶手段から前記回収ＩＤを読み取る廃棄場データ読取り手段と，前記廃棄場データ読取り手段により読み取られたデータと前記搬入側計量データ取得手段により取得された前記計量データとを前記管理装置に送信する廃棄場データ送信手段と，前記管理装置において，前記廃棄場データ送信手段により送信されたデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，を具備してなることを特徴とする廃棄物の廃棄処理管理システムであってもよい。
【００１７】
また，前記計量場に又は前記可搬データ記憶手段に設けられ自身の現在位置を検出する第１の位置検出手段を具備し，前記第１又は第２の計量場データ送信手段により，前記第１の位置検出手段により検出される位置情報も前記管理装置に送信するものや，前記排出データ記録手段のある場所に又は前記可搬データ記憶手段に設けられ自身の現在位置を検出する第１の位置検出手段を具備し，前記排出データ記録手段により，前記第１の位置検出手段により検出される位置情報も前記可搬データ記憶手段に記憶させるもの，或いは，前記排出データ送信手段のある場所に設けられ自身の現在位置を検出する第１の位置検出手段を具備し，前記排出データ送信手段により，前記第１の位置検出手段により検出される位置情報も前記管理装置に送信するものが考えられる。
【００１８】
ここで，前記第１の位置検出手段が，前記計量場における前記第１若しくは第２の計量場データ読取り手段，又は前記排出データ記録手段と一体に構成されたものであれば，前記位置情報を擬似的に発生させるような装置を用いて偽の前記位置情報を入力する等の不正が行われにくくなる。
【００１９】
また，前記廃棄場に設けられ自身の現在位置を検出する第２の位置検出手段を具備し，前記廃棄場データ送信手段により，前記第２の位置検出手段により検出される位置情報も前記管理装置に送信するものや，前記廃棄場データ送信手段により，前記可搬データ記憶手段に設けられた前記第１の位置検出手段により検出される位置情報も前記管理装置に送信するものも考えられる。
【００２０】
また，本発明は，前記廃棄物の廃棄処理管理方法や前記廃棄物の廃棄処理管理システムで用いられる前記所定の管理装置を廃棄物の廃棄処理管理装置として捉えたものであってもよい。
即ち，廃棄物排出者により排出された廃棄物を，回収者により回収及び所定の廃棄場に搬入して廃棄処理を行うに際して，前記廃棄物の処理に関する管理を行う廃棄物の廃棄処理管理装置において，前記廃棄物排出者により排出される前記廃棄物それぞれの排出に関する廃棄物排出データ，前記回収者が所有する所定の可搬データ記憶手段それぞれに固有の回収ＩＤ，及び回収された前記廃棄物の入った容器の重量，容量若しくは該廃棄物自体の重量，容量，若しくは個数のいずれか１以上の要素である計量データを所定の計量場から受信して所定の記憶手段に記憶させる第１の計量場データ登録手段と，前記廃棄場に搬入される前記廃棄物について再度計測された前記計量データ及び前記回収ＩＤを前記廃棄場から受信し，該受信したデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，を具備してなることを特徴とする廃棄物の廃棄処理管理装置である。
【００２１】
或いは，廃棄物排出者により排出された廃棄物を，回収者により回収及び所定の廃棄場に搬入して廃棄処理を行うに際して，前記廃棄物の処理に関する管理を行う廃棄物の廃棄処理管理装置において，前記廃棄物排出者により排出される前記廃棄物それぞれの排出に関する廃棄物排出データ及び前記回収者が所有する所定の可搬データ記憶手段それぞれに固有の回収ＩＤを受信して所定の記憶手段に記憶させる排出データ登録手段と，回収された前記廃棄物の入った容器の重量，容量若しくは該廃棄物自体の重量，容量，若しくは個数のいずれか１以上の要素である計量データ及び前記回収ＩＤを所定の計量場から受信し，受信した前記回収ＩＤに基づいて，受信した前記計量データを前記記憶手段に既存のデータに対応づけて記憶させる第２の計量場データ登録手段と，前記廃棄場に搬入される前記廃棄物について再度計測された前記計量データ及び前記回収ＩＤを前記廃棄場から受信し，該受信したデータとこれに対応する前記記憶手段内のデータとについて，それぞれの前記計量データが略一致するか否かを判定し，略一致すると判定した場合にのみ，その廃棄物を廃棄処理することを許可する許可指令を前記廃棄場に送信する許可処理手段と，を具備してなることを特徴とする廃棄物の廃棄処理管理装置であってもよい。
【００２２】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る廃棄物の廃棄処理管理方法を用いたシステム全体の作業流れ図，図２は本発明の実施の形態に係る廃棄物の廃棄処理管理方法を用いたシステムにおける廃棄物の搬出側での排出者と回収者と計量場と管理サーバとの処理の手順を表すフローチャート，図３は本発明の実施の形態に係る廃棄物の廃棄処理管理方法を用いたシステムにおける廃棄物の受入側での回収者と廃棄場と管理サーバとの処理の手順を表すフローチャートである。
【００２３】
本発明の実施の形態に係る廃棄物の廃棄処理管理方法を用いたシステムは，図１に示すように，廃棄物の排出者Ｐ１（排出事業者）と，廃棄物を廃棄処理する産廃事業者等に相当する廃棄場Ｐ３（処分事業者）と，排出者が排出した廃棄物の回収者Ｐ４（運搬業者）がその廃棄物を前記廃棄場へ運搬する前に立ち寄る計量場Ｐ２と，廃棄物の排出から廃棄処理までのプロセスを管理する管理サーバ１（前記管理装置，前記廃棄物の廃棄処理管理装置の一例）を運営するサーバ運営会社Ｐ０との間で廃棄物に関する情報の授受を行うものである。ここで，計量場Ｐ２は，複数の排出者Ｐ１や複数の回収者Ｐ４との事前契約により，廃棄物の搬出側での搬出量計測を請け負う事業者等により運営される施設である。もちろん，排出者Ｐ１や回収者Ｐ４が計量場Ｐ２の役割を兼ねることや，排出者Ｐ１が回収者Ｐ４を兼ねること等もできる。また，排出者Ｐ１が例えば製造業者や建設現場，医療機関等のいわゆる排出事業者であり，廃棄場Ｐ３が例えばリサイクル業者，中間処理業者（焼却や成形等），最終処分業者（埋め立て等）である場合の他に，排出者Ｐ１が廃棄物の中間処理業者であり，廃棄場Ｐ３が最終処分業者であってもよい（この場合，焼却灰等の中間処理物が廃棄物となる）。従って，いわゆる排出事業者（製造業者等）〜中間処理業者の間と，中間処理業者〜最終処分業者の間との両方に本発明を適用すれば，廃棄物の排出から最終処分までの廃棄処理管理が可能となる。
なお，機器構成としては，サーバ運営会社Ｐ０には管理サーバ１が，排出者Ｐ１側には，例えばＲＦＩＤ（Ｒａｄｉｏ　Ｆｒｅｑｕｅｎｃｙ　Ｉｄｅｎｔｉｆｉｃａｔｉｏｎ）技術により回収者Ｐ４それぞれが所有するＩＣタグやＩＣカード（前記可搬データ記憶手段の一例，以下，ＩＣパスという）中のメモリに対して非接触で（無線で）データを読み書きするＩＣパスリーダ・ライタ２１（以下，ＩＣパスＲ／Ｗと略す）が，計量場Ｐ２には，前述したのと同じＩＣパスＲ／Ｗ２２と，廃棄物入りの容器の重量，容量若しくは廃棄物自体の重量，容量若しくは個数を計測する重量等計測手段３１（トラックスケール等）と，前記管理サーバ１と通信を行う通信手段４１とが，廃棄場Ｐ３には計量場Ｐ２におけるものと同様のＩＣパスＲ／Ｗ２３，重量等計測手段３２，及び通信手段４２と，所定の表示部及び演算部を備えた端末５とがそれぞれ設置されている。前記重量等計測手段３１，３２としては，廃棄物入りの容器の重量，容量若しくは廃棄物自体の重量，容量若しくは個数のみでなく，それらの重量と容量という具合に複数の要素を計測する場合も含む。また，個数というのは，たとえば洗濯機１台，テレビ２台，車１台という具合に容器に入っていない場合の廃棄物や，容器に入れて廃棄するとしても，その個数が問題となる注射器そのものの個数を含む意味である。以下の説明においては，廃棄物を容器に入れてトラック等で運搬後に廃棄する場合について説明するが，廃棄物を容器に入れないで，排出する場合も同様であるので，ここでは説明を省略する。
【００２４】
前記管理サーバ１には，廃棄物処理に関する各種データを格納する記憶装置１ａ（前記管理装置における前記記憶手段の一例）が内臓されている。また，前記ＩＣパスＲ／Ｗ２２及び前記重量等計測手段３１は前記通信手段４１と，前記ＩＣパスＲ／Ｗ２３，前記重量等計測手段３２及び前記端末５は前記通信手段４２とそれぞれ通信可能に接続されている。ここでは，前記通信手段４１，４２は，インターネットを介して前記管理サーバ１と通信するものであるが，もちろん，電話，携帯電話，ＦＡＸ，電子メールなどを随時使用することは何ら差し支えない。
廃棄処理を行うには，事前に排出者Ｐ１と管理サーバ運営会社Ｐ０との間で廃棄物処理管理（監視）の委託に関する契約が締結される。その時，排出業者毎に排出者ＩＤと排出者パスワードとがサーバ運営会社Ｐ０から排出者Ｐ１に発行される。さらに，排出者Ｐ１に関する各種情報が前記排出者ＩＤと対応付けられて前記管理サーバ１の記憶装置１ａに事前登録される。
また管理サーバ運営会社Ｐ０と廃棄場Ｐ３の事業者との間でも，廃棄に関する契約を締結しておく。その時，廃棄場Ｐ３毎に廃棄場ＩＤと廃棄場パスワードとが管理サーバ運営会社Ｐ０から廃棄場Ｐ３の事業者に発行される。さらに，廃棄場Ｐ３に関する各種情報が前記廃棄場ＩＤと対応づけられて前記管理サーバ１の記憶装置１ａに事前登録される。
多くの場合，排出者Ｐ１と，回収者Ｐ４（廃棄物の回収運搬業者）及び廃棄場Ｐ３の事業者との間にも，回収運搬及び廃棄に関する契約が事前に締結される。さらに廃棄処理の前提として，業界団体等により事前に認定された回収者Ｐ４に前記ＩＣパスが配布される。該ＩＣパスは，例えば，回収者Ｐ４の所有する廃棄物運搬用トラックごと等の回収単位ごとに１つずつ配布される。該ＩＣパスには，それぞれ固有の識別情報である回収ＩＤが予め記憶されており，該回収ＩＤが前記業界団体等からの認定証の役割を果たすことになる。さらに，前記ＩＣパスの配布を受けた回収者Ｐ４に関する各種情報が，前記回収ＩＤと対応づけられて前記管理サーバ１の記憶装置１ａに事前登録される。
【００２５】
（搬出側の処理）
次に，図２を用いて，排出者Ｐ１による廃棄物の排出から計量場Ｐ２における廃棄物の計量までの処理（搬出側の処理）について説明する。以下，Ｓ１１，Ｓ１２，…は処理手順の番号を表す。
まず，前記排出者Ｐ１は，廃棄物の入った廃棄物容器を所定の廃棄ヤードに出し，提携先である回収者Ｐ４が回収に来るのを待つ（Ｓ１０１）。一方，提携先である回収者Ｐ４は，定期的或いは前記排出者Ｐ１の要求に応じて，前記排出者Ｐ１のところへ前記廃棄物の回収に来る。その際，前記回収者Ｐ４は前記排出者Ｐ１に対して自身の所有する前記ＩＣパスを提示する（Ｓ２０１）。
これに対して前記排出者Ｐ１は，前記ＩＣパスＲ／Ｗ２１を用いて，前記回収者Ｐ４により提示された前記ＩＣパスから前記回収ＩＤを読み取って前記ＩＣパスＲ／Ｗ２１の備える表示部に表示させ，これにより提携先の回収者Ｐ４であることを確認した後，自身の前記排出者ＩＤ及びその回収者Ｐ４に回収（運搬）を依頼する前記廃棄物の種類（内容）に関する種別コード等の情報（以下，これらを廃棄物排出データという）を，同じく前記ＩＣパスＲ／Ｗ２１を用いて前記ＩＣパスに書き込む（記憶させる）（Ｓ１０２，前記排出データ記録工程及び前記排出データ記録手段の処理の一例）。
こうして前記ＩＣパスへの書き込みを受けた前記回収者Ｐ４は，前記廃棄ヤードの廃棄物を回収し（Ｓ２０２），これを廃棄場Ｐ４へ運搬する前に計量場Ｐ３へ移動（運搬）する。
【００２６】
次に，前記計量場Ｐ２へ移動した前記回収者Ｐ４は，前記計量場Ｐ２において前記ＩＣパスを提示する（Ｓ２０３）。
これに対して前記計量場Ｐ２（の受付等）は，前記ＩＣパスＲ／Ｗ２２を用いて，前記回収者Ｐ４により提示された前記ＩＣパス内のデータ（前記回収ＩＤ，前記排出者ＩＤ，及びごみの種類に関する情報等）を読み取って前記ＩＣパスＲ／Ｗ２２の備える表示部に表示させ（Ｓ３０１，前記第１の計量場データ読取り工程及び前記第１の計量場データ読取り手段の処理の一例），これにより事前認定された回収者Ｐ４であることや前記廃棄物の種類を確認した後，前記廃棄物の入った容器の重量，容量若しくは廃棄物自体の個数（以下，計量データという）を前記重量等計測手段３１により計測する（Ｓ３０２，前記搬出側計量工程の一例）。例えば，廃棄物運搬用のトラック等のみ，或いは該トラック等と廃棄物を入れる容器のみの重量をいわゆる風袋重量として予めトラックスケールに登録しておき，廃棄物を積載したトラック等の重量をトラックスケールで計測し，計測した重量から前記風袋重量を差し引いた重量をその廃棄物の重量とする等の方法が考えられる。
このようにして計測された前記計量データは前記通信手段４１（前記搬出側計量データ入力手段の一例）に入力され，前記ＩＣパスＲ／Ｗ２２で読み取られた前記ＩＣパス内のデータとともに，前記通信手段４１によって前記管理サーバ１に送信される（Ｓ３０３，前記第１の計量場データ送信工程及び前記第１の計量場データ送信手段の処理の一例）。このとき，データ送信に先立って，その計量場Ｐ２の前記計量場ＩＤとそのパスワードが前記管理サーバ１に送信され，これを受信した前記管理サーバ１で認証が行われることにより，データ送信のための通信が確立するよう構成されている。また，前記ＩＣパスの読み取り（Ｓ３０１）は，前記計量データの計測（Ｓ３０２）後に行っても何ら問題はない。
こうして送信されたデータは，前記管理サーバ１により受信され，各データが対応付けられて前記記憶装置１ａに格納（登録）される（Ｓ４０１，前記第１の計量場データ登録工程及び前記第１の計量場データ登録手段の処理の一例）。このとき，Ｓ４０１でデータ登録されるごとに，該データを特定する（各々固有の）廃棄物管理番号（前記廃棄物ＩＤの一例）が自動発行（自動生成）され，該廃棄物管理番号も受信したデータに対応づけられて前記記憶装置１ａに登録される（Ｓ４０１，前記廃棄物ＩＤ発行登録工程の一例）。さらに，前記管理サーバ１により，前記廃棄物の種類や前記回収者Ｐ４等に対応した適切な廃棄場の前記廃棄場ＩＤが所定の規則に基づいて（例えば，予め定められた対応表に基づいて）選択され，これも同様に前記記憶装置１ａに登録されるよう構成することも考えられる。
次に，前記廃棄物管理番号は前記管理サーバ１から前記計量場Ｐ２に送信され（Ｓ４０２），該廃棄物管理番号が前記計量場Ｐ２の前記ＩＣパスＲ／Ｗ２１によって前記ＩＣパスに書き込まれる（Ｓ３０４，前記廃棄物ＩＤ記録工程の一例）。この書き込みの前に，Ｓ１０２で書き込まれたデータ（前記排出者ＩＤ及びごみの種類に関する情報の一方又は両方）を消去するようにすれば，前記ＩＣパスの記憶容量を比較的小さく抑えられるのでコスト面で有効である。また，Ｓ４０２において，前述した前記所定の規則に基づいて選択された前記廃棄場Ｐ３に関する情報が，前記管理サーバ１から前記計量場Ｐ２に送信されるよう構成し，これを参照することにより前記回収者Ｐ４の移動先となる廃棄場Ｐ３が定められるようにしてもよい。
このようにして前記管理サーバ１に登録，及び前記ＩＣパスに書き込みがなされた前記廃棄物管理番号は，前記排出者Ｐ１から排出された前記廃棄物それぞれを識別する識別情報となり，前記廃棄物の排出から廃棄処理までのプロセスを前記廃棄物ごとに管理するための管理コードの役割を果たす。
前記廃棄物管理番号の書き込みがなされた前記ＩＣパスの所有者である前記回収者Ｐ４は，前記廃棄物を廃棄場Ｐ３へ運搬する。
【００２７】
（搬入側の処理）
次に，図３を用いて，前記回収者Ｐ４が前記廃棄物を廃棄場Ｐ３に搬入する際の処理（搬入側の処理）について説明する。
まず，廃棄場Ｐ３に到着した前記回収者Ｐ４は，自身の前記ＩＣパスを提示する（Ｓ２０４）。
これに対して前記廃棄場Ｐ３（の受付等）は，前記ＩＣパスＲ／Ｗ２３を用いて，前記回収者Ｐ４により提示された前記ＩＣパス内のデータを読み取って前記ＩＣパスＲ／Ｗ２３の備える表示部に表示させ（Ｓ３０５，前記廃棄場データ読取り工程及び前記廃棄場データ読取り手段の処理の一例），これにより事前認定された回収者Ｐ４であることや前記廃棄物管理番号が発行済みであることを確認した後，前記計量データを前記重量等計測手段３２により計測する（Ｓ３０６，前記搬入側計量工程及の一例）。
このようにして計測された前記計量データは前記通信手段４２（前記搬入側計量データ入力手段の一例）に入力され，前記ＩＣパスから読み取られた前記回収ＩＤ及び前記廃棄物管理番号とともに，前記通信手段４２によって前記管理サーバ１に送信される（Ｓ３０７，前記廃棄場データ送信工程及び前記廃棄場データ送信手段の処理の一例）。このとき，データ送信に先立って，その廃棄場Ｐ３の前記廃棄場ＩＤとそのパスワードが前記管理サーバ１に送信され，これを受信した前記管理サーバ１で認証が行われることにより，データ送信のための通信が確立するよう構成されている。また，前記ＩＣパスの読み取り（Ｓ３０５）は，前記計量データの計測（Ｓ３０６）後に行っても何ら問題はない。
こうして送信されたデータは，前記管理サーバ１により受信され，該管理サーバ１により前記記憶装置１ａから前記回収ＩＤ及び前記廃棄物管理番号により特定される前記計量データ（Ｓ４０１で登録された前記計量データ）と，受信した前記計量データとが略一致するか否かが判定され（Ｓ４０３），その判定結果として，略一致する場合には廃棄を許可する許可指令が，そうでない場合には不許可指令が前記廃棄場Ｐ３に送信される（Ｓ４０４，前記許可処理工程及び前記許可処理手段の処理の一例）。さらに，前記許可指令が送信された場合には，前記廃棄物が廃棄場Ｐ３に搬入されたとみなし，Ｓ３０７で送信される前記回収ＩＤ及び前記廃棄物管理番号により特定されるデータに対応づけて搬入済みを表す搬入フラグ（前記搬入実績情報の一例）が前記記憶装置１ａに格納される（Ｓ４０５，前記搬入実績登録工程の一例）。もちろん，前記廃棄場Ｐ３と前記管理サーバ１との間で，前記廃棄物が搬入されたことの確認を行う通信を行った上で前記搬入フラグの格納を行うことも考えられる。このような搬入実績の管理により，排出された廃棄物それぞれが，適正に前記廃棄場Ｐ３に搬入されたか否かを管理することが可能となる。例えば，前記廃棄物管理番号が発行されてから所定期間以内に前記搬入フラグが格納（登録）されない場合には，前記回収者Ｐ２に警告を発する等の処理が可能となる。
また，前記許可指令送信の判定において，Ｓ３０７での通信の確立に用いた前記廃棄場ＩＤ（廃棄場を識別する情報）と，前記回収ＩＤ及び前記廃棄物管理番号に対応づけられた前記廃棄場ＩＤとの一致も前記許可指令送信の条件とすることも考えられる。これにより，前記廃棄物が予定された廃棄場Ｐ３に搬入されたこともチェックできる。
以上説明したように，前記廃棄物管理番号と前記搬入フラグとによって，前記管理サーバ１に登録されたデータそれぞれ（即ち，廃棄物それぞれ）について，排出者Ｐ１，回収者Ｐ２，及び廃棄場Ｐ３それぞれにまたがる廃棄処理のプロセス，即ち，廃棄物の排出から廃棄場Ｐ３への搬入までの廃棄処理のプロセスが，前記管理サーバ運営会社Ｐ０（の前記管理サーバ１）によって自動的に一括管理される。従って，排出者Ｐ１，計量場Ｐ２及び廃棄場Ｐ３は，前記ＩＣパスＲ／Ｗを用いたデータの読み書きという簡易な作業を行うだけで，煩わしい廃棄物ごとの搬入・搬出の実績管理をそれぞれが行う必要がない。さらに，前記管理サーバ１によって廃棄物それぞれの廃棄処理の実績を前記ＪＷＮＥＴが要求する情報の形式に編成し，前記ＪＷＮＥＴに送信するよう構成すれば，廃棄物の廃棄処理を電子マニフェストで管理できる。そうすれば，排出者Ｐ１は，計量場Ｐ２や廃棄場Ｐ３と連携して紙マニフェストを作成及び保存する膨大な手間と時間を省略できる。
【００２８】
一方，前記廃棄場Ｐ３においては，前記管理サーバ１からの指令が受信され，該指令内容（前記許可指令であるか前記不許可指令であるか）が前記端末５の表示部に表示される（Ｓ３０８）。そして前記廃棄場Ｐ３は，前記許可指令を受信した場合にのみ前記廃棄物を受け入れ廃棄処理する。
これにより，前記廃棄場Ｐ３（搬入側）において，前記計量場Ｐ２（搬出側）で計測された廃棄物の重量，容量若しくは廃棄物自体の個数（前記計量データ）との同一性が確認された上で廃棄処理されるので，搬送途中で他の廃棄物を混入させたり，廃棄物の一部を不法投棄して量を減らしたり等の不正を防止できる。さらに，Ｓ４０４において，Ｓ４０３で受信した前記回収ＩＤ及び前記廃棄物管理番号に対応する前記廃棄物排出データの一部又は全部（例えば，廃棄物の種類（内容）に関する情報等）も前記廃棄場Ｐ３へ送信し（前記廃棄物排出データ提供工程の一例），Ｓ３０８でこれを受信及び表示するよう構成すれば，廃棄物の種類（内容）等も確認できるので，廃棄物のすり替え等の不正も確実に防止できる。
さらに，前記廃棄場Ｐ３の前記端末５により，前記管理サーバ１から前記許可指令を受信したか否かが判別され（Ｓ３０９），前記許可指令を受信したと判別された場合には，前記ＩＣパスＲ／Ｗ２３により前記ＩＣパスから前記回収ＩＤ以外のデータ（前記廃棄物管理番号等）が消去される（Ｓ３１０）。
これにより，回収者Ｐ２が所有する前記ＩＣパスに記憶されるデータを，前記ＩＣパスＲ／Ｗを用いて任意の場所（検問場所等）で読み取り，前記廃棄物管理番号の有無を確認すれば，その回収者Ｐ２が廃棄物の運搬中（前記廃棄物管理番号あり）であるか否かが確認できる。従って，例えば，前記ＩＣパスに前記廃棄物管理番号が存在するにもかかわらず，そのＩＣパスを所有する回収者Ｐ２の積荷に廃棄物が存在しない場合は，廃棄物の不法投棄や散逸があった可能性が高いことをチェックでき，廃棄処理の不正監視をより確実に行える。さらに，前記廃棄物管理番号そのものに廃棄物の種類等を示す情報を有していれば（例えば，上位２桁が廃棄物の種類を示す等），同様に，任意の場所で回収者Ｐ２の積荷の内容と本来積載（運搬）しているべき（前記廃棄物管理番号が示す）廃棄物の種類（内容）とを照合できるので，積荷（廃棄物）のすり替え等のチェックも行える。このように，前記廃棄物管理番号を前記ＩＣパスに記録することにより，該ＩＣパス内のデータを読み取るだけで廃棄物の搬送途中の状況の監視も行えることになる。
【００２９】
ところで，前記ＩＣパスごとに１の（１つの或いは１まとまりの）廃棄物が回収・運搬される場合であれば，前記廃棄物管理番号が発行されなくても，前記回収ＩＤによって廃棄物それぞれを管理（特定）できる。この場合には，前述した廃棄物の廃棄処理管理方法において，前記廃棄物管理番号を発行しないことも考えられる。前記廃棄物管理番号を発行することは，前記ＩＣパスごとに複数の廃棄物が回収・運搬される場合に好適である。もちろん，この場合，前記ＩＣパスに書き込まれるデータは，前記廃棄物管理番号ごとに対応づけられるよう構成することはいうまでもない。
また，前記廃棄物管理番号等の前記ＩＣパスへの書き込みを行わない場合であっても，例えば，前記ＩＣパスＲ／Ｗを用いて前記ＩＣパスから前記回収ＩＤを読み取り，これを携帯電話等の無線通信機能を有する端末を用いて前記管理サーバ１に送信し，これを受信した前記管理サーバ１によって対応するデータ（その回収者Ｐ４に関する情報や搬送中であるべき廃棄物の種類や量等）を返信するよう構成すれば，搬送途中の状況監視を行うことが可能となる。この場合，前記管理サーバ１との通信手段を必要とする分だけは若干必要なコストが増える。
【００３０】
【実施例】
（実施例１）
前述した実施の形態では，前記排出者Ｐ１が，前記廃棄物排出データ（廃棄物の種類に関する情報や排出者ＩＤ等）を，前記回収者Ｐ４から提示された前記ＩＣパスＲ／Ｗを用いて前記ＩＣパスに書き込み，これを前記計量場Ｐ２で読み取って前記管理サーバ１に送信する方法をとったが，前記廃棄物排出データを前記管理サーバ１に送信する方法はこれに限るものではない。
例えば，前記管理サーバ１が，Ｗｅｂブラウザ機能を有する携帯電話やＰＤＡ等の携帯端末やパソコン等の端末からのアクセス及びデータ入力操作により，前記廃棄物排出データ等の入力及び入力されたデータの前記記憶装置１ａの登録を可能とするホームページを有するよう構成されたものを用いる方法である。これにより，前記排出者Ｐ２が，廃棄物の回収時又はその前後いずれかに，自身が所有する端末から前記ホームページにアクセスして前記廃棄物排出データ及び廃棄物の回収を依頼する前記回収者Ｐ４の前記回収ＩＤを入力すれば，これが前記管理サーバ１に送信され（前記排出データ送信工程の一例），さらに前記記憶装置１ａに登録される（前記排出データ登録工程の一例）。この場合，前記ＩＣパスには，前記廃棄物排出データが書き込まれない。従って，前記計量場Ｐ２では，前記ＩＣパスから前記ＩＣパスＲ／Ｗ２２により前記回収ＩＤのみを読み取り（前記第２の計量場データ読取り工程及び前記第２の計量場データ読取り手段の処理の一例），該回収ＩＤと前記計量データとを前記通信手段４１により前記管理サーバ１に対して送信する（前記第２の計量場データ送信工程及び前記第２の計量場データ送信手段の処理の一例）。さらに，前記管理サーバ１は，前記計量場Ｐ２から受信した前記回収ＩＤに基づいて，同受信した前記計量データを前記記憶装置１ａ内に既存の対応する前記廃棄物排出データに対応づけて登録する（前記第２の計量場データ登録工程及び前記第２の計量場データ登録手段の処理の一例）。
このような方法をとることにより，前記ＩＣパスに必要なメモリ容量を小さくできる。これにより，前記ＩＣパスの必要数が増大するほどコスト面で有効となる。
【００３１】
（実施例２）
また，前記管理サーバ１において，前記計量場Ｐ２から送信された（受信した）データの一部又は全部，或いは上記実施例の場合は前記排出者Ｐ１から送信された（受信した）データの一部又は全部を，該データに対応する廃棄物が前記廃棄場Ｐ３に搬入される前に（例えば，受信データの登録直後に），その廃棄物が搬入される予定の前記廃棄場Ｐ３に対して送信する（前記事前データ送信工程の一例）よう構成してもよい。前記廃棄場Ｐ３へ送信するデータとしては，例えば，廃棄物の種類に関する情報や前記計量データ等が考えられる。
これにより，前記廃棄場Ｐ３は，事前に正確な廃棄物の搬入計画を立てられるので，適切な対処が可能となる。
また，これをさらに応用すれば，前記計量場Ｐ２から受信したデータを登録する際に，廃棄物の種類や量に関するデータをいずれかの前記廃棄場Ｐ３に送信し，該廃棄場Ｐ３から，その廃棄物の受け入れができない旨の応答を受信した場合には，受け入れ可能の応答を受信するまで，順次他の廃棄場Ｐ３にデータ送信し，受け入れ可能の応答を送信した前記廃棄場Ｐ３を，その廃棄物の廃棄処理先として登録する方法も考えられる。これにより，処理能力以上の廃棄物が廃棄場Ｐ３に受け入れられ，未処理の廃棄物が山積みさて周辺環境に悪影響を与えるといった問題の発生を防止できる。
【００３２】
（実施例３）
また，各廃棄物がいずれの場所から排出されたものであるかを正確かつ容易に把握し管理するために，自身の現在位置を検出するＧＰＳ等の位置検出手段を設け，該位置検出手段により検出される位置情報を前記管理サーバ１に送信し，前記位置情報も前記管理サーバ１に登録するよう構成することも考えられる。
この場合，ＧＰＳ等の前記位置検出手段（前記第１の位置検出手段の一例）は，例えば，前記計量場Ｐ２に配置される前記ＩＣパスＲ／Ｗ２２に内蔵（一体に構成）させることが考えられる。
そして，前記計量場Ｐ２においては，図２に示したＳ３０３における前記計量場Ｐ２から前記管理サーバ１へのデータ送信の際に，前記ＩＣパスＲ／Ｗ２２が，内蔵する前記位置検出手段からその場所（前記計量場Ｐ２の場所）の位置情報を取得し，前記ＩＣパスから読み取ったデータとともに，前記通信手段４１によって前記管理サーバ１に送信する。また，これを受信した前記管理サーバ１は，Ｓ４０１において受信した各データ（前記位置情報を含む）を対応付けて前記記憶装置１ａに格納（登録）する。
同様に，前述した（実施例１）の場合には，前記計量場Ｐ２において，前記ＩＣパスから前記ＩＣパスＲ／Ｗ２２により前記回収ＩＤのみを読み取り（前記第２の計量場データ読取り工程の一例），該回収ＩＤと前記計量データとを前記通信手段４１により前記管理サーバ１に対して送信する（前記第２の計量場データ送信工程の一例）際に，前記ＩＣパスＲ／Ｗ２２に内蔵の前記位置検出手段から取得した位置情報も送信すればよい。
【００３３】
この他にも，前記排出者Ｐ１の場所（廃棄物の排出場所）に配置される前記ＩＣパスＲ／Ｗ２１に前記位置検出手段を内蔵させ，前記排出者Ｐ１が，自身の前記排出者ＩＤ等の前記廃棄物排出データを前記ＩＣパスＲ／Ｗ２１を用いて前記ＩＣパスに書き込む（記憶させる）（図２のＳ１０２，前記排出データ記録工程の一例）際に，前記ＩＣパスＲ／Ｗ２１が内蔵する前記位置検出手段から取得した位置情報も前記ＩＣパスに書き込み，書き込まれた前記位置情報を，前記計量場Ｐ２において前記ＩＣパスから読取り（Ｓ３０１），前記管理サーバ１へ送信（Ｓ３０３）することも考えられる。
同様に，前述した（実施例１）の場合には，前記排出者Ｐ２が所有する端末等に前記位置検出手段を設け，前記端末等から前記回収者Ｐ４の前記回収ＩＤを前記管理サーバ１に送信する際に，前記位置検出手段から取得した位置情報も送信し，前記管理サーバ１の前記記憶装置１ａに登録するよう構成してもよい。
この場合，より正確な（排出場所に近い）廃棄物の排出場所を登録できる。
また，前記ＩＣパス自体を前記位置検出手段具備するものとし（例えば，前記ＩＣパスをＧＰＳ機能付きの携帯端末に置き換える等），前記計量場Ｐ２において，図２に示したＳ３０３における前記計量場Ｐ２から前記管理サーバ１へのデータ送信の際に，前記ＩＣパスの前記位置検出手段からその場所（前記計量場Ｐ２の場所）の位置情報を取得し，読み取った前記ＩＣパス内のデータとともに，前記通信手段４１によって前記管理サーバ１に送信するよう構成することも考えられる。
【００３４】
一方，前記廃棄場Ｐ３においても，各廃棄物がいずれの廃棄場所に廃棄されたかを正確かつ容易に把握し管理するために前記位置検出手段を設け，該位置検出手段により検出される位置情報を前記管理サーバ１に送信し，前記位置情報も前記管理サーバ１に登録するよう構成することも考えられる。
この場合，ＧＰＳ等の前記位置検出手段（前記第２の位置検出手段の一例）は，例えば，前記廃棄場Ｐ３に配置される前記ＩＣパスＲ／Ｗ２３に内蔵（一体に構成）させる。
そして，前記廃棄場Ｐ３においては，図３に示したＳ３０７における前記廃棄場Ｐ３から前記管理サーバ１へのデータ送信の際に，前記ＩＣパスＲ／Ｗ２３が内蔵された前記位置検出手段からその場所（前記廃棄場Ｐ３の場所）の位置情報を取得し，読み取った前記ＩＣパス内のデータ（前記回収ＩＤ及び前記廃棄物管理番号）とともに，前記通信手段４２によって前記管理サーバ１に送信する。また，これを受信した前記管理サーバ１は，Ｓ３０７で送信される前記回収ＩＤ及び前記廃棄物管理番号により特定されるデータに対応づけて搬入済みを表す前記搬入フラグとともに前記位置情報も前記記憶装置１ａに格納（登録）する。
また，前記ＩＣパス自体を前記位置検出手段（前記第１の位置検出手段の一例）を具備するものとした場合には，前記廃棄場Ｐ３において，図３に示したＳ３０７における前記廃棄場Ｐ３から前記管理サーバ１へのデータ送信の際に，前記ＩＣパスの前記位置検出手段からその場所（前記廃棄場Ｐ３の場所）の位置情報を取得し，該位置情報を前記ＩＣパスから読み取ったデータとともに，前記通信手段４２によって前記管理サーバ１に送信するよう構成することも考えられる。以上示した構成及び方法により，各廃棄物がいずれの場所から排出され（前記計量場Ｐ２で位置情報を検出する場合は，前記計量場Ｐ２の場所で排出場所を管理することになる），いずれの廃棄場所に廃棄されたかを正確かつ容易に把握し管理することが可能となる。また，前記位置検出手段を前記ＩＣパスＲ／Ｗ２３に内蔵させることにより，前記位置情報を擬似的に発生させるような装置を用いて偽の前記位置情報を入力する等の不正が行われにくくなるのでより好適である。
【００３５】
【発明の効果】
以上説明したように，本発明によれば，廃棄物の廃棄場（搬入側）において，計量場（搬出側）で計測された廃棄物の重量，容量若しくは廃棄物自体の個数や廃棄物の内容の同一性が確認された上で廃棄処理されるので，搬送途中で他の廃棄物を混入させたり，廃棄物の一部を不法投棄して量を減らしたり，廃棄物のすり替え等の不正を防止できる。
また，それぞれ固有の回収ＩＤが記憶されたＩＣタグ等の可搬データ記憶手段を廃棄物の回収者に所有させることにより，任意の場所で前記可搬データ記憶手段から前記回収ＩＤを読み取り，これを前記管理サーバに送信して問い合わせれば，廃棄物の搬送途中での不正廃棄等の監視を行うことも可能となる。
さらに，廃棄物の排出者，計量場及び廃棄場は，ＩＣタグ等の可搬データ記憶手段のデータの読み書きという簡易な作業を行うだけで，廃棄物の排出から廃棄場への搬入までの廃棄処理の個々のプロセスが前記回収ＩＤごとに管理サーバによって一括管理されるので，煩わしい廃棄物ごとの搬入・搬出の実績管理をそれぞれが行う必要がなくなる。従って，廃棄物の排出者は，計量場や廃棄場と連携して紙マニフェストを作成及び保存する膨大な手間と時間を省略でき，電子マニフェスト管理も容易となる。
さらに，ＧＰＳ等の位置検出手段により検出される位置情報も廃棄物に関するデータとして管理サーバに登録すことにより，各廃棄物がいずれの場所から排出され，いずれの場所へ廃棄されたのかを正確に把握し管理することが容易となる上，廃棄物の排出場所や廃棄場所を偽って入力（記録）する等の不正行為を防止することが可能となる。
【図面の簡単な説明】
【図１】本発明の実施の形態に係る廃棄物の廃棄処理管理方法を用いたシステム全体の作業流れ図。
【図２】本発明の実施の形態に係る廃棄物の廃棄処理管理方法を用いたシステムにおける廃棄物の搬出側での排出者と回収者と計量場と管理サーバとの処理の手順を表すフローチャート。
【図３】本発明の実施の形態に係る廃棄物の廃棄処理管理方法を用いたシステムにおける廃棄物の受入側での回収者と廃棄場と管理サーバとの処理の手順を表すフローチャート。
【符号の説明】
１…管理サーバ
１ａ…記憶装置
５…端末
２１，２２，２３…ＩＣパス（可搬データ記憶手段）リーダ・ライタ（Ｒ／Ｗ）
３１，３２…重量等計測手段
４１，４２…通信手段
Ｐ０…管理サーバ運営会社
Ｐ１…排出者
Ｐ２…計量場
Ｐ３…廃棄場
Ｐ４…回収者（運搬車）
Ｓ１０１，Ｓ１０２，，…処理手順（ステップ）
【図１】
2004086821.tif 000003
【図２】
2004086821.tif 000004
【図３】
2004086821.tif 000005